(57)【要約】【課題】ケーシング内の液体圧力が小さい場合にも液漏れを確実に防止することができるポンプを提供する。【解決手段】回転可能に支持されて液体を吸排する円盤状の羽根車９と、該羽根車９を収容し、液体の吸込口５と吐出口７を有するポンプケース３と、該ポンプケース３の吐出口７の内面に揺動可能に設けられ、ポンプケース３内の液体を吐出口７に導く流路ガイド１５とを備え、流路ガイド１５の先端を羽根車１１の外周面に当接させている。【選択図】図１
2009074475.tif 000002
【特許請求の範囲】
【請求項１】
回転可能に支持されて液体を吸排する円盤状の羽根車と、該羽根車を収容し、液体の吸込口と吐出口を有するポンプケースと、該ポンプケースの吐出口の内面に揺動可能に設けられ、ポンプケース内の液体を吐出口に導く流路ガイドとを備え、
前記流路ガイドの先端を羽根車の外周面に当接させたことを特徴とするポンプ。
【請求項２】
前記羽根車を回転させる駆動モータのロータマグネットを羽根車に設ける一方、前記流路ガイドを、このロータマグネットに引きつけられる磁性体で形成したことを特徴とする請求項１に記載のポンプ。
【発明の詳細な説明】
【技術分野】
【０００１】
本発明は、モーターにより駆動され、液体を吸入して吐出するポンプに関する。
【背景技術】
【０００２】
通常、満水状態を維持し循環して使用されることが多いポンプでは、吐出口近傍から液漏れが発生する場合がある。従って、従来は、吐出口の近傍に弾性変形可能な舌片部を設け、吐出口側における高圧の液体による背圧によって、舌片部を弾性変形させることにより、前記液漏れを防止する技術が知られていた（例えば、特許文献１参照）。
【特許文献１】特開２００４−６０６１８号公報
【発明の開示】
【発明が解決しようとする課題】
【０００３】
しかしながら、前記特許文献１に記載された技術は、摩擦再生ポンプ等のケーシング内の液体が高圧になるポンプには適用できるものの、遠心ポンプ等のケーシング内の液体圧力が小さい場合には適用が困難であった。
【０００４】
そこで、本発明は、ケーシング内の液体圧力が小さい場合にも液漏れを確実に防止することができるポンプを提供することを目的とする。
【課題を解決するための手段】
【０００５】
本発明に係るポンプは、前記目的を達成するために、回転可能に支持されて液体を吸排する円盤状の羽根車と、該羽根車を収容し、液体の吸込口と吐出口を有するポンプケースと、該ポンプケースの吐出口の内面に揺動可能に設けられ、ポンプケース内の液体を吐出口に導く流路ガイドとを備え、前記流路ガイドの先端を羽根車の外周面に当接させたことを特徴とする。
【発明の効果】
【０００６】
本発明に係るポンプにおいては、流路ガイドの先端を羽根車の外周面に当接させているため、流路ガイドによって液漏れを確実に防止することができる。
【０００７】
また、羽根車を回転させると、流路ガイドに対して、吐出口側の部位における圧力は羽根車側の部位の圧力よりも高くなる。すると、流路ガイドは、圧力が低い羽根車側に揺動して引き寄せられるため、流路ガイドの先端は、羽根車の外周面に当接する。なお、本発明では、流路ガイドの先端を羽根車の外周面に当接させているため、吐出口側の部位と羽根車側の部位との圧力差が小さい場合にも、確実に液漏れを防止することができる。
【発明を実施するための最良の形態】
【０００８】
以下に、本発明の実施形態について図面を用いて説明する。
【０００９】
［第１の実施形態］
図１は本発明の第１実施形態によるポンプ全体を示す断面図である。
【００１０】
図１に示すように、本発明の第１実施形態によるポンプ１は、断面略円形状に形成されたポンプケース３を備えており、該ポンプケース３の中央部には吸込口５が設けられている。また、ポンプケース３の端部（図１の上端）には、ポンプケース３内の液体を排出する吐出口７が突出して設けられている。
【００１１】
ポンプケース３の内部には、円盤状に形成された羽根車９が中央部の回転軸を中心として回転可能に支持されている。この羽根車９は、羽根車９の厚さ方向に離間して配置された円板状の本体部１１，１１と、該本体部同士１１，１１を連結する複数の羽根１３とを備えている。これらの羽根１３は、円弧状に形成されており、本体部１１の周方向に沿って等間隔に配置されている。従って、羽根車９が図１の矢印Ｒ方向に回転すると、羽根１３に沿って羽根車９の外周方向に液体が排出される。
【００１２】
また、吐出口７の付け根部分の内面には、流路ガイド１５が取付軸１７を介して図１の矢印方向に揺動可能に支持されている。この流路ガイド１５は、先端部に向かうにつれて先細りする形状に形成され、根本部がポンプケース３に軸支されている。そして、流路ガイド１５の先端は、羽根車９の外周面に当接した状態で配設されている。なお、流路ガイド１５の材質は、特に限定されずに種々の材質のものを採用することができる。例えば、金属またはゴム等の弾性体でも良い。また、回動可能に軸支せずに、ゴムの弾性体を吐出口の付け根部分の内面に固定しても良い。
【００１３】
次いで、第１実施形態によるポンプ内の液体の流れを図１を用いて説明する。
【００１４】
まず、羽根車９は、図外の駆動モータによって矢印Ｒ方向に回転している。吸込口５から液体が流入すると、羽根１３に沿って羽根車９の外周側に排出される。こののち、羽根車９とポンプケース３の内壁面３ａとの間に形成された隙間を通って、液体は吐出口７に向けて送られ、吐出口７から排出される。
【００１５】
以下に、本発明の第１実施形態による作用効果を説明する。
【００１６】
吐出口７近傍におけるポンプケース内部は、流路ガイド１５によって、吐出口７側の部位１９と、羽根車９側の部位２１とに画成されている。従って、羽根車９が矢印Ｒ方向に回転すると、吐出口７側の部位における圧力は、羽根車９側の部位の圧力よりも高くなる。すると、回動可能な流路ガイド１５は、圧力が低い羽根車９側に引き寄せられる。このように、通常状態においても、流路ガイド１５の先端は、羽根車９の外周面に当接しているが、羽根車９側に引き寄せられることにより、更に確実に羽根車９の外周面に当接する。
【００１７】
［第２の実施形態］
次に、本発明の第２実施形態について説明するが、前記第１実施形態と同一構造部位については、同一符号を付してその説明を省略する。
【００１８】
図２は、本発明の第２実施形態によるポンプを示す断面図である。
【００１９】
図２に示すように、本発明の第２実施形態によるポンプ３１は、断面略円形状に形成されたポンプケース３を備えており、該ポンプケース３の中央部には吸込口５が設けられている。また、ポンプケース３の端部（図２の上端）には、ポンプケース３内の液体を排出する吐出口７が突出して設けられている。そして、ポンプケース３の内部には、羽根１３を設けた羽根車９が回転可能に支持されている。
【００２０】
本実施形態においては、吐出口７の付け根部分の内面に設けた流路ガイド３３を、薄い金属板等の磁性体から形成している。流路ガイド３３は、断面略直線状の本体部３３ａと、該本体部３３ａの先端部に形成した、羽根車９側に向けて折れ曲がった屈曲部３３ｂとから一体に構成している。
【００２１】
また、羽根車９には、図外のロータマグネットが設けられている。該ロータマグネットは、羽根車９を回転させる駆動モータを構成する。
【００２２】
次いで、第２実施形態によるポンプ内の液体の流れを図２を用いて説明する。
【００２３】
まず、羽根車９は、図外の駆動モータによって矢印Ｒ方向に回転している。吸込口５から液体が流入すると、羽根１３に沿って羽根車９の外周側に排出される。こののち、羽根車９とポンプケース３の内壁面３ａとの間に形成された隙間を通って、液体は吐出口７に向けて送られ、吐出口７から排出される。
【００２４】
以下に、本発明の第２実施形態による作用効果を説明する。
【００２５】
本実施形態においては、流路ガイドを、ロータマグネットに引きつけられる磁性体で形成している。従って、通常状態においても、流路ガイド３３の先端は、羽根車９の外周面に当接しているが、ロータマグネットの磁力によって羽根車９側に引き寄せられることにより、更に確実に羽根車９の外周面に当接する。
【００２６】
また、流路ガイド３３の先端部には、羽根車９側に向けて折れ曲がった屈曲部３３ｂが形成されているため、屈曲部３３ｂの先端が羽根車９の外周面に当接しやすくなる。
【図面の簡単な説明】
【００２７】
【図１】本発明の第１実施形態によるポンプを示す断面図である。
【図２】本発明の第２実施形態によるポンプを示す断面図である。
【符号の説明】
【００２８】
１，３３…ポンプ
３…ポンプケース
３ａ…内壁面
５…吸込口
７…吐出口
９…羽根車
１１…本体部
１３…羽根
１５，３３…流路ガイド
１７…取付軸
３３ａ…本体部
３３ｂ…屈曲部
【図１】
2009074475.tif 000003
【図２】
2009074475.tif 000004